(57)【要約】【課題】大容量高速のディジタル回線やディジタル放送が普及する中では種々のコンテンツの供給を可能にし、またコンテンツの利用に関し柔軟性を高めることができる、情報記録媒体、およびその情報記録媒体を再生する情報再生装置を提供する。【解決手段】単位ブロック（Ｂｎ、Ｂｎ＋１）毎に、それぞれ識別情報（ＳＹ１、ＳＹ２）が付加された複数のフレーム（ＳＦ）で構成される記録データと、記録データのうち隣接する単位ブロック（Ｂｎ、Ｂｎ＋１）の境界部に、通常の記録データの識別情報（ＳＹ１、ＳＹ２）と異なる識別情報（ＳＹＸ、ＳＹＹ）が付加されたリンキング領域（ＬＡ）とが設けられ、リンキング領域に認証情報（ＶＡ）が記録されている。【選択図】        図３
2004326943.tif 000002
【特許請求の範囲】
【請求項１】
単位ブロック毎に、それぞれ識別情報が付加された複数のフレームで構成する記録データと、
前記記録データのうち隣接する単位ブロックの境界部に前記識別情報と異なる識別情報が付加されたリンキング領域と
を有する情報記録媒体であって、
前記リンキング領域に認証情報を記録したことを特徴とする情報記録媒体。
【請求項２】
前記リンキング領域に記録された認証情報が、前記記録データの再生時間の経過とともに変化することを特徴とする請求項１に記載の情報記録媒体。
【請求項３】
前記リンキング領域に記録された認証情報が、前記記録データの内容の変化とともに変化することを特徴とする請求項１に記載の情報記録媒体。
【請求項４】
前記リンキング領域に記録された認証情報が、
ディジタルビット列からなるデータストリームのスクランブルを解除するために必要な情報である
ことを特徴とする請求項１乃至３のいずれかに記載の情報記録媒体。
【請求項５】
前記リンキング領域に、前記認証情報と共に外部機器制御情報を記録したことを特徴とする請求項１に記載の情報記録媒体。
【請求項６】
前記リンキング領域に記録された認証情報および外部機器制御情報が、前記記録データの再生時間の経過とともに変化することを特徴とする請求項５に記載の情報記録媒体。
【請求項７】
前記リンキング領域に記録された認証情報および外部機器制御情報が、前記記録データの内容の変化とともに変化することを特徴とする請求項５に記載の情報記録媒体。
【請求項８】
前記リンキング領域に記録された外部機器制御情報が、
ディジタルビット列からなる複数のデータストリームの中から認証可能なストリームを選択するための情報である
ことを特徴とする請求項５乃至７のいずれかに記載の情報記録媒体。
【請求項９】
請求項１乃至４のいずれかに記載された情報記録媒体を再生する情報再生装置であって、
前記リンキング領域に記録された認証情報を検出するリンキング領域検出手段と、
前記リンキング領域検出手段で検出した前記認証情報を外部に提供する手段と
を有することを特徴とする情報再生装置。
【請求項１０】
前記リンキング領域に記録された認証情報が、ディジタルビット列からなるデータストリームのスクランブルを解除するために必要な情報であることを特徴とする請求項９に記載の情報再生装置。
【請求項１１】
請求項５乃至８のいずれかに記載された情報記録媒体を再生する情報再生装置であって、
前記リンキング領域に記録された認証情報及び外部機器制御情報を検出するリンキング領域検出手段と、
前記リンキング領域検出手段で検出した前記認証情報を外部に提供する手段と前記リンキング領域検出手段で検出した前記外部機器制御情報を用いて外部機器を制御する外部制御手段と
を有することを特徴とする情報再生装置。
【請求項１２】
前記リンキング領域に記録された外部機器制御情報が、ディジタルビット列からなる複数のデータストリームの中から認証可能なストリームを選択するための情報であることを特徴とする請求項１１に記載の情報再生装置。
【発明の詳細な説明】
【０００１】
【発明の属する技術分野】
本発明は、情報記録媒体と、その再生方法及び装置に関し、特に、リンキング領域に認証情報を記録した情報記録媒体と、前記認証情報を用いて、外部に対して認証情報を提供する情報再生装置に関するものである。
【０００２】
【従来の技術】
ＤＶＤに代表される大容量の情報記録媒体の普及が進んでいるが、最近ではデータを記録可能な情報記録媒体に対する要望が高まっている。例えばデータを１回のみ書き込み可能なＤＶＤ−Ｒ（ＤＶＤ−Ｒｅｃｏｒｄａｂｌｅ）や、データを繰り返し書き換え可能なＤＶＤ−ＲＷ（ＤＶＤ−Ｒｅ−Ｒｅｃｏｒｄａｂｌｅ）などの記録可能なディスクに関する規格が知られている。こうした記録可能なディスクを用いた記録を行う場合、既にデータが書き込まれた領域に続いて別のデータを書き込む状況では、双方のデータ部分の境界にリンキング領域を設ける必要がある。
【０００３】
リンキング領域は、ＤＶＤフォーマットにおけるデータ記録領域であるＥＣＣ（Ｅｒｒｏｒ  Ｃｏｒｒｅｃｔｉｏｎ  Ｃｏｄｅ）ブロックとは異なるシンクパターンを持つため、ＤＶＤ−ＲＯＭのような再生専用の情報記録媒体との互換性は確保されない。互換性を確保するためには、記録可能な情報記録媒体と再生専用の情報記録媒体とであらかじめ前記リンキング領域を含めた記録フォーマットを共通化しておくことが有効である。
【０００４】
記録フォーマットを共通化した場合、再生専用の情報記録媒体にはリンキング領域は本来必要でないため、再生専用の情報記録媒体のリンキング領域に何らかの情報を記録することで記録容量の有効活用ができる。記録可能な情報記録媒体ではリンキング領域はリンキングに用いられるため他の情報の記録はできない。そこで、再生に必須な情報を再生専用の情報記録媒体のリンキング領域に記録しておくことで不正なコピーを防ぐことも可能である。このようなリンキング領域の構成およびその利用法は例えば特許文献１に記載されている。
【０００５】
【特許文献１】
特開２００２−２６０３４１公報
【０００６】
【発明が解決しようとする課題】
光学ディスクのＤＶＤ−ＲＯＭに代表されるような再生専用の情報記録媒体を用いたパッケージソフトウェアは、安価に大量生産が可能であり同一内容の情報記録媒体を多数配付するためには非常に優れている。その一方で、大容量高速のディジタル回線やディジタル放送が普及する中では種々のコンテンツを供給するために十分に大容量とは必ずしもいえない。情報記録媒体に外部コンテンツ再生のための認証や制御の機能を持たせ、外部コンテンツを媒体上のコンテンツの延長として扱うことができれば見掛け上媒体の容量を拡張したのと同様の効果が得られる。
【０００７】
本発明はこのような問題に鑑みてなされたものであり、大容量高速のディジタル回線やディジタル放送が普及する中では種々のコンテンツの供給を可能にし、またコンテンツの利用に関し柔軟性を高めることができる、情報記録媒体、およびその情報記録媒体を再生する情報再生装置を提供することを目的とする。
【０００８】
【課題を解決するための手段】
本発明は、
単位ブロック毎に、それぞれ識別情報が付加された複数のフレームで構成する記録データと、
前記記録データのうち隣接する単位ブロックの境界部に前記識別情報と異なる識別情報が付加されたリンキング領域と
を有する情報記録媒体であって、
前記リンキング領域に認証情報を記録したことを特徴とする情報記録媒体を提供するものである。
【０００９】
【発明の実施の形態】
実施の形態１．
【００１０】
最初に、図１、図２、及び図３を参照して、本実施の形態における情報記録媒体としてのディスクに記録されるデータの構造の概要について説明する。以下に説明する例は、本発明を、ＤＶＤ−ＲＯＭフォーマットに適用した場合のデータ構造である。
【００１１】
ディスク上において、セクタが螺旋状に、順に配置され、連続する例えば１６セクタで１ＥＣＣブロックが形成される。図１及び図２に示すように、リンキング領域は、データのつなぎ目に設けられるものであり、例えば、一つのデータ（データＡ）と別のデータ（データＢ）の境界部に形成される。
【００１２】
本実施の形態では、１つのＥＣＣブロックと別のＥＣＣブロックの間に、例えば、ｎ番目のＥＣＣブロックＢｎとｎ＋１番目のＥＣＣブロックＢｎ＋１の間にリンキング領域ＬＡが挿入されている。
【００１３】
ＥＣＣブロックを構成するセクタの各々は、図３に示すように、１３行に分けられ、各行は２つのシンクフレームＳＦに分けられ、各シンクフレームＳＦは、９１バイトのデータ部分ＤＰと、これに付加された、識別情報としての、２バイトのシンクコード（ＳＹ０〜ＳＹ７）とから成る。
【００１４】
シンクコードＳＹ０〜ＳＹ７は互いに異なるビットパターンを有し、再生時にシンクフレームを判別するための識別情報として利用される。
【００１５】
本実施の形態では、リンキング領域ＬＡは、一つの行に属する２つシンクフレームＬＦで構成され、リンキング領域ＬＡを構成するシンクフレームＬＦのシンクコードＳＸ、ＳＹは、そのうちの少なくとも一つが通常の記録データ部分のシンクフレームＳＦのシンクコードＳＹ０〜ＳＹ７とは異なるパターンを有し、従って、シンクコードＳＹ０〜ＳＹ７と区別可能である。
【００１６】
通常のシンクフレームＳＦには通常のデータＤＰが記録されている。
リンキング領域ＬＡのシンクフレームＬＦには、認証情報ＶＡが記録されている。この認証情報ＶＡは、外部機器に対する認証情報として用いられるものであり、例えば、外部機器に供給されるディジタルビット列からなるデータストリームのスクランブルを解除するために必要な情報である。
【００１７】
次に、上記のディスクの再生に用いられる装置を説明する。図４は上記したディスクの再生に用いられる情報再生装置１の一例を示すブロック図である。本実施の形態の情報記録再生装置は、ＤＶＤ−ＲＯＭなどのディスク１０に対するデータ再生用の光学ピックアップ１１を備えている。
【００１８】
ディスク１０は、図示しない回転駆動部により回転駆動されており、光学ピックアップ１１は、光学ピックアップ１１内の図示しない半導体レーザ等の光源を駆動してレーザ光等の光ビームを生成してディスク１０の情報記録面に照射して、ディスク１０上の通常のデータが記録された領域及び認証情報が記録された領域からの反射光に対応する光信号を出力する。
【００１９】
再生信号生成手段１２は、光学ピックアップ１１の出力を受けて、反射光に対応する再生信号を生成する。
アナログディジタル変換手段１３は、再生信号処理手段１２の出力をディジタル化して、その出力をシンク検出手段１４に供給する。
【００２０】
シンク検出手段１４は、アナログディジタル変換手段１３からの出力を受け、そのシンクコードを解読して、アナログディジタル変換手段１３の出力を分別する。この分別は、シンクコードのビットパターンを検出することで行われる。即ち、シンクコードＳＹＸまたはＳＹＹであれば、リンキング領域ＬＡ内から読み出されたデータであると判定され、シンクコードＳＹ０乃至ＳＹ７のいずれかであれば、通常のデータであると判定される。
【００２１】
リンキング領域ＬＡ以外のデータはデータ読取手段１５によって処理され、データ読取手段１５からは再生データＲＤが出力される。
一方、リンキング領域ＬＡのデータＶＡは、リンキング領域データ処理手段１６によって取り出されて処理され、認証情報処理手段１７によって外部機器２０に対する認証情報として処理される。
【００２２】
外部機器２０は、認証手段２１を有する。この認証手段２１は、認証情報処理手段から供給される認証情報ＶＡを用いて、入力されるデータストリームＤＳｉを認証して認証済データストリームＤＳａを発生する。
認証手段２１は、例えば、認証情報に基づいて、ディジタルビット列からなるデータストリームのスクランブルを解除する機能を有する。
【００２３】
外部機器２０は、例えばディジタル放送受信機であり、放送されるデータストリームを受信し、認証情報により再生が許可されている場合には、データストリームの再生を行う。
外部機器の他の例は、ネットワークに接続されたパーソナルコンピュータであり、ネットワークを介して供給されるストリーミングデータを受信し、認証情報ＶＡにより再生が許可されている場合には、ストリーミングデータを再生する。
【００２４】
以上のように、外部機器２０がデータストリームを再生するために必要な認証情報をあらかじめディスク１０上のリンキングエリアＬＡに認証情報ＶＡとして記録しておき、認証情報処理手段１７と外部機器２０の認証手段２１とで認証情報をやりとりすることにより外部機器２０のデータストリームに対する認証を行うことができる。
【００２５】
なお、ディスク１０上のリンキングエリアＬＡに記録しておく認証情報ＶＡは全てのリンキングエリアＬＡに同じように記録する必要はなく、例えば記録データの再生時間の経過と共に内容が変化し、即ちディスク上の記録位置とともに内容が変化し、再生中のある一定の時間でのみ認証を可能にすることもできるし、ディスク上に通常データとして記録されているコンテンツの内容の変化によって認証情報を変化させることもできる。
【００２６】
また、図２では説明を簡単にするためリンキング領域をシンクフレーム２つとしているが、特に数に制限があるわけではない。
さらに、本実施の形態は、ＤＶＤ−ＲＯＭフォーマットに限らず、リンキング領域を設けることが可能な他の記録フォーマットの情報記録媒体及び情報再生装置に、適用可能である。
【００２７】
さらにまた、上記の例では、認証情報が外部機器における再生が許諾されているかどうかの認証に用いられるものであったが、外部機器における蓄積が許諾されているかどうかの認証に用いられるものであっても良い。
【００２８】
実施の形態２．
上記の実施の形態１では、リンキング領域の相前後する２つのフレームの双方に認証情報を記録したが、一方に認証情報を記録し、他方に外部機器制御情報を記録することとしても良い。
【００２９】
図５は、そのようなディスクの一例を示す。図示のように、図２のディスクと同様にｎ番目のＥＣＣブロックＢｎとｎ＋１番目のＥＣＣブロックＢｎ＋１の間にリンキング領域ＬＡが挟まった構成になっており、２つのシンクフレームのうち、一方ＬＦ１に認証情報ＶＡが記録され、他方ＬＦ２に外部機器制御情報ＶＡが記録されている。
【００３０】
認証情報ＶＡの役割は、実施の形態１に関連して説明したのと同じである。
外部機器制御情報ＶＣは、外部機器の制御に用いられるものであり、例えば、外部機器がディジタルビット列からなる複数のデータストリームを受信して、そのうちの認証可能なストリームを選択する選択手段を有する場合、その選択手段の選択動作を制御するために用いられる。
【００３１】
図６は、図５のディスクの再生に用いられる装置の一例を示す。
実施の形態１の情報再生装置に加え、外部機器を制御する情報を再生する制御情報処理手段１８を備える点で異なる。
【００３２】
通常のデータ領域ＤＰとは異なるビットパターンのシンクコードＳＹＸ、ＳＹＹを持つリンキング領域ＬＡに認証情報ＶＡおよび外部機器制御情報ＶＣが記録されたディスク１０から光学ピックアップ３１を用いて読み出した再生信号は、再生信号処理手段１２を介してアナログディジタル変換手段１３によりディジタル化され、シンク検出手段１４によって分別される。この分別は、シンクコードのビットパターンを検出することで行われる。即ち、シンクコードＳＹＸであれば、リンキング領域ＬＡ内のシンクフレームＬＦ１から読み出された認証情報ＶＡであると判定され、シンクコードＳＹＹであれば、リンキング領域ＬＡ内のシンクフレームＬＦ２から読み出された外部機器制御情報ＶＣデータであると判定され、シンクコードＳＹ０乃至ＳＹ７のいずれかであれば、通常のデータであると判定される。
【００３３】
認証情報ＶＡは、認証情報処理手段１７によって外部機器に対する認証情報として処理される。
外部機器制御情報ＶＣは、外部機器制御情報処理手段１８によって外部機器制御信号として処理される。
リンキング領域ＬＡ以外のデータはデータ読取手段１５によって再生データとして処理される。
【００３４】
外部機器は、認証手段２１のほか選択手段２２を有する。この選択手段２２は、例えば、ディジタルビット列からなる複数の、再生可能なデータストリームＤＳ１乃至ＤＳｎの中から認証可能なストリームを選択するためのものであり、外部機器制御情報処理手段１８からの外部機器制御信号ＶＣに基づいて上記の選択を行う。
【００３５】
以上のように、ディスク１０上のリンキングエリアＬＡ内のシンクフレームＬＦ２に外部機器制御情報ＶＣを記録し、シンクフレームＬＦ１に認証情報ＶＡを記録しておくことで、外部装置制御手段１８から出力される制御情報ＶＣに従って外部機器２０の選択手段２２が選択したデータストリームＤＳｓに対し、認証情報処理手段１７と外部機器２０の認証手段２１との認証情報ＶＡのやり取りにより認証を行うようにすることができる。
【００３６】
なお、ディスク１０上のリンキングエリアＬＡに記録しておく認証情報ＶＡおよび外部機器制御情報ＶＣは全てのリンキングエリアＬＡに同じように記録する必要はなく、例えば記録データの再生時間の経過と共に内容が変化し、即ちディスク上の記録位置とともに内容が変化し、再生中のある一定の期間でのみ認証を可能にしたり外部機器を制御したりすることもできるし、ディスク上に通常データとして記録されているコンテンツの内容の変化によって認証情報や外部機器制御情報を変化させることもできる。
【００３７】
例えば、ディスク上のコンテンツと関連したデータストリームの再生をあるタイミング（再生開始からのある特定の時間）でのみ認証、制御すると言った応用が可能である。より具体的には、ディスク上には、コンテンツのインデックス情報のみを記録しておき、インデックスでそのコンテンツを選択すると、制御情報ＶＣで該当する放送のチャンネルを選択し、認証情報ＶＡでその放送の再生を許可することが考えられる。また、学習用のコンテンツを収録したディスクにおいて、あるタイミング（再生開始からのある特定の時間）でのみネットワーク上の情報を見ることができるように制御、認証することもできる。
【００３８】
なおまた、説明を簡単にするためリンキング領域をシンクフレーム２つとしているが、特に数に制限があるわけではない。
さらに、図５では理解を簡単にするため別々のシンクフレームＬＦ１、ＬＦ２に認証情報と外部機器制御情報が分かれているが、同一シンクフレームに混在していてもかまわない。
さらにまた、本実施の形態は、ＤＶＤ−ＲＯＭフォーマットに限らず、リンキング領域を設けることが可能な他の記録フォーマットの情報記録媒体及び情報再生装置に、適用可能である。
【００３９】
上記の実施の形態１及び実施の形態２において、データのつなぎ目の部分にのみ、リンキング領域を形成しているが、リンク時の領域利用効率向上のため、すべてのＥＣＣブロック相互間の境界部にリンキング領域を挿入することが好適である。また、以上のように全ＥＣＣブロック間に同様にリンキング領域を配置する場合、媒体全体の利用効率を考えるとリンキング領域１領域に入れられる情報量は限られてしまうため、より多くの情報を記録したい場合には、特定のＥＣＣブロック間のリンキング領域（のフレーム数）を増やすよりも、複数のリンキング領域に情報を分散記録し、再生時に情報を結合・復元する方が傷などの外乱に対する耐性向上に有効である。
【００４０】
【発明の効果】
本発明によれば、情報記録媒体のリンキング領域に外部コンテンツの再生を認証する情報を記録し、再生装置はリンキングエリアから再生認証情報を読み出して提供するように構成したことにより、外部コンテンツを媒体上のコンテンツの延長として扱うことができ、見掛け上媒体の容量を拡張したのと同様の効果が得られる。その結果、大容量高速のディジタル回線やディジタル放送が普及する中で種々のコンテンツの供給が可能となる。さらに、コンテンツの利用に関し柔軟性が高まる。
【図面の簡単な説明】
【図１】本発明の実施の形態１に係る記録媒体上のデータの配置、特に記録データ相互間に挿入されたリンキング領域を示す図である。
【図２】本発明の実施の形態１に係る記録媒体上のデータの配置、特にＥＣＣブロック相互間に挿入されたリンキング領域を示す図である。
【図３】本発明の実施の形態１に係る記録媒体上のセクタを構成するシンクフレームの配列を示す図である。
【図４】本発明の実施の形態１に係る光ディスク再生処理システムの構成を示す機能ブロック図である。
【図５】本発明の実施の形態２に係る記録媒体上のデータの配置、特にＥＣＣブロック相互間に挿入されたリンキング領域を示す図である。
【図６】本発明の実施の形態２に係る光ディスク再生処理システムの構成を示す機能ブロック図である。
【符号の説明】
１  信号再生装置、  １０  ディスク、  １１  光学ピックアップ、  １２  再生信号処理手段、  １３  アナログディジタル変換手段、  １４  シンク検出手段、  １５  データ読取手段、  １６  リンキング領域データ処理手段、  １７  認証情報処理手段。
【図１】
2004326943.tif 000003
【図２】
2004326943.tif 000004
【図３】
2004326943.tif 000005
【図４】
2004326943.tif 000006
【図５】
2004326943.tif 000007
【図６】
2004326943.tif 000008